(57)【要約】自車両（Ｖ）の外部にある遠隔操作器（２３）からの遠隔操作指令に基づいて、自律走行制御機能を備えた自車両を自律走行制御させる場合において、前記遠隔操作器による遠隔操作の開始入力がされたときは、前記自車両に記憶された所定の認証コード（ＡＣ）を、前記車両の内部若しくは外部に視認可能に表示し、前記遠隔操作器により、前記表示された認証コードを取得し、前記遠隔操作器により取得した認証コード（ＡＣ１）と、前記車両に記憶された認証コード（ＡＣ）とが一致するか否かを判断し、一致した場合に、前記車両と前記遠隔操作器とのペアリング処理を完了する。
2020121009.tif 000002
【特許請求の範囲】
【請求項１】
車両の外部にある遠隔操作器からの遠隔操作指令に基づいて、自律走行制御機能を備えた車両を自律走行制御させる場合において、前記遠隔操作器による遠隔操作の開始入力がされたときは、
前記車両に記憶された所定の認証コードを、前記車両の内部若しくは外部に視認可能に表示し、
前記遠隔操作器により、前記表示された認証コードを取得し、
前記遠隔操作器により取得した認証コードと、前記車両に記憶された認証コードとが一致するか否かを判断し、
一致した場合に、前記車両と前記遠隔操作器とのペアリング処理を完了する車両走行制御方法。
【請求項２】
前記車両に記憶された前記所定の認証コードを、
前記車両の室内に設けられた機器、前記車両の外部に設けられた機器、前記車両の外板、前記車両に対して固有に設定された携帯型機器、又は前記車両の周辺の路面の少なくともいずれかに表示する請求項１に記載の車両走行制御方法。
【請求項３】
前記車両の室内に設けられた機器は、車載ディスプレイ又は室内灯の少なくともいずれかを含み、
前記車両の外部に設けられた機器は、ヘッドライト、スモールライト、ウィンカー、フォグライト、ブレーキライト又はバックライトの少なくともいずれかを含み、
前記前記車両に対して固有に設定された携帯型機器は、前記車両のドアの施解錠を遠隔操作する、ライトを有する電子キー又は前記車両のエンジンの始動を遠隔操作する、ライトを有するエンジンスタータの少なくともいずれかを含む請求項２に記載の車両走行制御方法。
【請求項４】
前記遠隔操作器の位置を検出し、
前記車両に記憶された前記所定の認証コードを、前記車両から前記遠隔操作器に向かう前記車両の周辺の路面に表示する請求項２に記載の車両走行制御方法。
【請求項５】
前記遠隔操作器に設けられた読取器により前記所定の認証コードを読み取り、又は前記遠隔操作器に設けられた入力部により前記所定の認証コードを入力する請求項１〜４のいずれか一項に記載の車両走行制御方法。
【請求項６】
前記遠隔操作器に設けられたディスプレイに、当該遠隔操作器により取得した認証コードを表示し、
前記車両に設けられた読取器により、前記遠隔操作器により取得した認証コードを読み取り、
前記車両は、前記読取器により読み取った認証コードと、前記車両に記憶された認証コードとが一致するか否かを判断する請求項１〜５のいずれか一項に記載の車両走行制御方法。
【請求項７】
前記遠隔操作器は、取得した認証コードを短距離通信により前記車両に送信し、
前記車両は、送信された認証コードと、前記車両に記憶された所定の認証コードとが一致するか否かを判断する請求項１〜５のいずれか一項に記載の車両走行制御方法。
【請求項８】
前記遠隔操作器には、前記車両に記憶された前記所定の認証コードが予め登録され、
前記遠隔操作器は、前記車両により表示された前記所定の認証コードを取得すると、当該取得した認証コードと、前記予め登録された前記所定の認証コードとが一致するか否かを判断する請求項１〜５のいずれか一項に記載の車両走行制御方法。
【請求項９】
前記所定の認証コードの表示は、前記ペアリング処理が完了した時、表示してから所定時間が経過した時、又は表示終了の指令が入力された時の少なくともいずれかの時に終了する請求項１〜８のいずれか一項に記載の車両走行制御方法。
【請求項１０】
前記所定の認証コードは、一次元コード、二次元コード、文字、数字、記号、図形、模様、ライトの点滅パターンの少なくともいずれかを含む請求項１〜９のいずれか一項に記載の車両走行制御方法。
【請求項１１】
複数の所定の認証コードが記憶され、ペアリング処理を実行する際に、規則的又は不規則に選択される請求項１〜１０のいずれか一項に記載の車両走行制御方法。
【請求項１２】
車両の外部にある遠隔操作器からの実行指令又は停止指令に基づいて、自律走行制御機能を備えた車両を自律走行制御により所定スペースに入庫させ、又は自律走行制御により所定スペースから出庫させる請求項１〜１１のいずれか一項に記載の車両走行制御方法。
【請求項１３】
自律走行制御機能を備えた車両を自律走行制御する走行制御器と、
所定の目標位置の経路を演算し、前記走行制御器に走行指令を出力する制御器と、
前記車両の外部から前記制御器の実行又は停止を指令する遠隔操作器と、
所定の認証コードを記憶する認証コード記憶器と、
記憶された認証コードを、前記車両の内部若しくは外部に視認可能に表示する認証コード表示器と、
表示された前記所定の認証コードを取得する取得器と、
取得した認証コードと、記憶された認証コードとが一致するか否かを判断し、一致した場合に、前記車両と前記遠隔操作器とのペアリング処理を完了するペアリング処理器と、を備える車両走行制御装置。
【発明の詳細な説明】
【技術分野】
【０００１】  本発明は、自律走行制御が可能な自車両を遠隔操作する車両走行制御方法及び車両走行制御装置に関するものである。
【背景技術】
【０００２】  車両のバッテリに電力を供給する非接触送電システムにおいて、送電装置と受電装置とのペアリング処理を行うにあたり、送電装置から受電装置へ所定の発光パターンで発光部を発光させるように受電装置に無線通信により指示し、無線通信により指示した所定の発光パターンと、送電装置の撮影部が撮影した発光パターンとが一致した場合に、ペアリング処理を完了するものが知られている（特許文献１）。
【先行技術文献】
【特許文献】
【０００３】
【特許文献１】特開２０１７−１３５８７５号公報
【発明の概要】
【発明が解決しようとする課題】
【０００４】  しかしながら、上記従来技術は、送電装置の撮影部の撮影範囲が限られていることを前提に、受電装置の発光部が撮影範囲に入っていることで、車両が適切な位置に駐車されていることを担保するものであり（段落［０００９］）、撮影部の設置位置が特定の位置に限定されている。そのため、遠隔操作により自律駐車させる場合のように、車両の停車位置が任意の場所であるものには、適用することができない。【０００５】  本発明が解決しようとする課題は、自律走行制御が可能な自車両を車外から遠隔操作する場合に、車両と遠隔操作器とのペアリング処理を簡便に行うことができる車両走行制御方法及び車両走行制御装置を提供することである。
【課題を解決するための手段】
【０００６】  本発明は、遠隔操作の開始入力がなされたときは、車両に記憶された所定の認証コードを、車両の内部又は外部に視認可能に表示し、遠隔操作器により、表示された認証コードを取得し、遠隔操作器により取得された認証コードと、車両に記憶された認証コードとが一致するか否かを判断し、一致した場合に、車両と遠隔操作器とのペアリング処理を完了することによって、上記課題を解決する。
【発明の効果】
【０００７】  本発明によれば、ペアリング処理のキーとなる所定の認証コードを、車両から当該車両の内部又は外部に視認可能に表示し、これを遠隔操作器により取得することで、認証コードの一致性を判断する。これにより、任意の場所に停車する自車両を車外から遠隔操作により自律走行制御する場合であっても、簡便な方法でペアリング処理が実行できる。
【図面の簡単な説明】
【０００８】
【図１】本発明の車両走行制御方法及び車両走行制御装置を適用したリモート駐車システムを示すブロック図である。
【図２Ａ】図１のリモート駐車システムにおいて実行されるペアリング処理に係る構成の一例を示すブロック図である。
【図２Ｂ】図１のリモート駐車システムにおいて実行されるペアリング処理に係る構成の他の例を示すブロック図である。
【図３】図１の認証コード表示器の車両への装着状態及び遠隔操作器を示す平面図である。
【図４】図１の認証コード表示器による表示形態（路面の所定位置）の一例を示す平面図である。
【図５】図１の認証コード表示器による表示形態（車両の室内）の他の例を示す図である。
【図６】図１の認証コード表示器による表示形態（車両の外部）のさらに他の一例を示す図である。
【図７】図１の遠隔操作器の位置検出器の一例を示す図である。
【図８】図１のリモート駐車システムで実行される制御手順を示すフローチャートである。
【図９Ａ】図８のステップＳ９のサブルーチンの一例を示すフローチャートである。
【図９Ｂ】図８のステップＳ９のサブルーチンの他の例を示すフローチャートである。
【図１０Ａ】図１のリモート駐車システムで実行される後退リモート駐車の一例を示す平面図（その１）である。
【図１０Ｂ】図１のリモート駐車システムで実行される後退リモート駐車の一例を示す平面図（その２）である。
【図１０Ｃ】図１のリモート駐車システムで実行される後退リモート駐車の一例を示す平面図（その３）である。
【図１０Ｄ】図１のリモート駐車システムで実行される後退リモート駐車の一例を示す平面図（その４）である。
【発明を実施するための形態】
【０００９】  以下、本発明の実施形態を図面に基づいて説明する。図１は、本発明の車両走行制御方法及び車両走行制御装置を適用したリモート駐車システム１を示すブロック図である。本明細書において「自律走行制御」とは、ドライバの運転操作に依ることなく、車載された走行制御装置の自動制御により、車両を走行させることをいい、「自律駐車制御」とは、自律走行制御の一種であって、ドライバの運転操作に依ることなく、車載された走行制御装置の自動制御により、車両を駐車（入庫又は出庫）させることをいうものとする。また、「駐車」とは、駐車スペースへ車両を継続的に止めておくことをいうが、「駐車経路」という場合には、駐車スペースへの車庫入れ経路のみならず、駐車スペースからの車庫出し経路をも含むものとする。その意味で、「駐車時の車両走行制御方法及び車両走行制御装置」は、駐車スペースへの車庫入れ時の車両の走行制御と、駐車スペースからの車庫出し時の車両走行制御との両方が含まれる。なお、車庫入れを入庫とも言い、車庫出しを出庫とも言う。以下の実施形態においては、本発明に係る走行制御方法及び走行制御装置を、遠隔操作による自律駐車制御に適用した一例を挙げて、本発明の具体例を説明する。
【００１０】  本実施形態のリモート駐車システム１は、駐車スペースへの車庫入れ又は駐車スペースからの車庫出しをする場合に、自律走行制御によりこれらの車庫入れ又は車庫出しを行うシステムであるが、その操作途中でドライバが降車し、安全を確認しながら、遠隔操作器により実行指令を送信し続けることで、自律駐車制御を継続する。そして、車両が障害物と衝突するおそれがある場合には、停止指令を送信したり又は実行指令の送信を中止したりすることで、自律駐車制御を停止するものである。以下、遠隔操作を併用した車庫入れ自律走行制御モードをリモート入庫モード、遠隔操作を併用した車庫出し自律走行制御モードをリモート出庫モードともいう。
【００１１】  たとえば、幅狭の車庫や両隣に他車両が駐車している駐車場など、サイドドアが充分に開くほど余裕がない幅狭の駐車スペースでは、ドライバの乗降が困難となる。このような場合でも駐車を可能とするため、遠隔操作を併用したリモート入庫モードやリモート出庫モードが利用される。そして、車庫入れする場合には、リモート入庫モードを起動し、選択した駐車スペースへの入庫経路を演算して自律入庫制御が開始されたら、ドライバは遠隔操作器を所持して降車し、遠隔操作器により実行指令を送信し続けることで車庫入れを完了する。また、当該駐車スペースからの車庫出しする場合には、ドライバは所持した遠隔操作器を用いて車両の内燃機関又は駆動用モータをＯＮし、さらにリモート出庫モードを起動し、選択した車庫出し位置への出庫経路を演算して自律出庫制御が開始されたら、ドライバは遠隔操作器により実行指令を送信し続けることで車庫出しを完了し、その後に乗車する。本実施形態のリモート駐車システム１は、このような遠隔操作を併用したリモート入庫モードと、同じく遠隔操作を併用したリモート出庫モードとを備えるシステムである。なお、自律駐車制御の一例として、図１０Ａ〜図１０Ｄに示す後退自律駐車制御を例示するが、縦列自律駐車その他の自律駐車にも本発明を適用することができる。
【００１２】  本実施形態のリモート駐車システム１は、目標駐車スペース設定器１１、車両位置検出器１２、物体検出器１３、遠隔操作器の位置検出器１４、駐車経路生成部１５、物体減速演算部１６、経路追従制御部１７、目標車速生成部１８、操舵角制御部１９、車速制御部２０、認証コード設定部２１、認証コード表示器２２、遠隔操作器２３、認証コード記憶部２４及びペアリング処理部２５を備える。以下、各構成を説明する。
【００１３】  目標駐車スペース設定器１１は、リモート入庫モードの際には、自車両の周辺に存在する駐車スペースを探索し、駐車可能な駐車スペースの中から操作者に所望の駐車スペースを選択させ、この駐車スペースの位置情報（自車両の現在位置からの相対的位置座標や、緯度・経度など）を駐車経路生成部１５に出力する。また、目標駐車スペース設定器１１は、リモート出庫モードの際には、現在駐車している自車両の周囲に存在する出庫スペースを探索し、出庫可能な出庫スペースの中から操作者に所望の出庫スペースを選択させ、この出庫スペースの位置情報（自車両の現在位置からの相対的位置座標や、緯度・経度など）を駐車経路生成部１５に出力する。なお、出庫スペースとは、リモート出庫モードの際に、操作者が出庫操作を行ったのち、乗車する際の自車両の一時停車位置をいう。
【００１４】  目標駐車スペース設定器１１は、上述した機能を発揮するために、リモート入庫モード又はリモート出庫モードを入力操作する入力スイッチと、自車両の周囲を撮影する複数のカメラ（不図示，後述する物体検出器１３を共用してもよい。）と、複数のカメラで撮影された画像データから駐車可能な駐車スペースを探索するソフトウェアプログラムがインストールされたコンピュータと、駐車可能な駐車スペースを含めた画像を表示するタッチパネル型ディスプレイと、を備える。そして、ドライバなどの操作者が、入力スイッチによりリモート入庫モードを選択すると、複数のカメラにより自車両の周囲の画像データを取得し、駐車可能な駐車スペースを含む画像をディスプレイに表示する。操作者が、表示された駐車スペースから所望の駐車スペースを選択すると、目標駐車スペース設定器１１は、この駐車スペースの位置情報（自車両の現在位置からの相対的位置座標や、緯度・経度など）を駐車経路生成部１５に出力する。なお、駐車可能な駐車スペースを探索する場合に、ナビゲーション装置の地図情報に詳細な位置情報を有する駐車場情報が含まれるときは、当該駐車場情報を用いてもよい。また、ドライバなどの操作者が、遠隔操作器２３を用いて自車両の内燃機関又は駆動用モータを起動し、遠隔操作器２３の入力スイッチによりリモート出庫モードを選択した場合には、複数のカメラにより自車両の周囲の画像データを取得し、出庫可能な出庫スペースを含む画像を遠隔操作器２３のディスプレイに表示する。そして、操作者が、表示された出庫スペースから所望の出庫スペースを選択すると、目標駐車スペース設定器１１は、この出庫スペースの位置情報（自車両の現在位置からの相対的位置座標や、緯度・経度など）を駐車経路生成部１５に出力する。
【００１５】  車両位置検出器１２は、ＧＰＳユニット、ジャイロセンサ、および車速センサなどから構成され、ＧＰＳユニットにより複数の衛星通信から送信される電波を検出し、自車両の位置情報を周期的に取得するとともに、取得した自車両の位置情報と、ジャイロセンサから取得した角度変化情報と、車速センサから取得した車速とに基づいて、自車両の現在位置を検出する。車両位置検出器１２により検出された自車両の位置情報は、所定時間間隔で駐車経路生成部１５及び経路追従制御部１７に出力される。
【００１６】  物体検出器１３は、自車両の周辺に、障害物などの物体が存在するか否かを探索するものであり、カメラ、レーダー（ミリ波レーダー，レーザーレーダー，超音波レーダーなど）若しくはソナーなど、又はこれらを組み合わせたものを備える。これらのカメラ、レーダー若しくはソナー又はこれらを組み合わせたものは、自車両の周囲の外板部に装着されている。物体検出器１３の装着位置としては、特に限定はされないが、たとえば、フロントバンパの中央及び両サイド、リヤバンパの中央及び両サイド、左右のセンターピラー下部のシルアウタなどの全箇所又はこれらの一部箇所に装着することができる。また、物体検出器１３は、カメラやレーダーなどで検出された物体の位置を特定するためのソフトウェアプログラムがインストールされたコンピュータを備え、特定された物体情報（物標情報）とその位置情報（自車両の現在位置からの相対的位置座標や、緯度・経度など）は、駐車経路生成部１５と、物体減速演算部１６へ出力され、自律駐車制御の開始前においては、駐車経路生成部１５による駐車経路の生成に供され、自律駐車制御中においては、不意な障害物などの物体を検出した場合に、物体減速演算部１６により自車両を減速又は停車させる制御に供される。
【００１７】  遠隔操作器２３の位置検出器１４は、後述する遠隔操作器２３が車外に持ち出された場合に、その位置を特定するための装置であり、たとえば、図７に示すように、自車両Ｖの異なる位置に設けられた少なくとも２つのアンテナ２７，２７と、遠隔操作器２３のアンテナ２３１と、車両Ｖのアンテナ２７，２７と遠隔操作器のアンテナ２３１との間の電波強度を検出するセンサと、センサにて検出された電波強度から三角測量法などを用いて遠隔操作器２３の位置を演算するソフトウェアプログラムがインストールされたコンピュータと、から構成されている。遠隔操作器２３の位置を特定するための電波は、所定時間間隔で継続して送信され、時々刻々変化する自車両Ｖに対する遠隔操作器２３の位置を、たとえば自車両Ｖに対する相対的な位置情報として特定する。なお、遠隔操作器２３の位置を特定するための電波は、遠隔操作器２３からの実行指令信号を用いることができる。
【００１８】  遠隔操作器２３の位置を特定するための電波は、遠隔操作器２３のアンテナ２３１から車両Ｖのアンテナ２７，２７へ所定時間間隔で送信してもよいし、車両Ｖのアンテナ２７，２７から遠隔操作器２３のアンテナ２３１へ所定時間間隔で送信してもよい。前者の場合は、車両Ｖのアンテナ２７，２７と遠隔操作器のアンテナ２３１との間の電波強度を検出するセンサと、センサにて検出された電波強度から三角測量法などを用いて遠隔操作器２３の位置を演算するソフトウェアプログラムがインストールされたコンピュータは、車両Ｖに設けられ、後者の場合は遠隔操作器２３に設けられる。遠隔操作器２３の位置検出器１４にて検出された遠隔操作器の位置情報（自車両Ｖに対する相対的な位置情報）は、認証コード設定部２１に出力される。なお、遠隔操作器２３は操作者により車外へ持ち出されることから、遠隔操作器２３の位置検出器１４により検出される遠隔操作器２３の位置情報は、操作者の位置情報でもある。
【００１９】  駐車経路生成部１５は、予め記憶されている自車両の大きさ（車幅、車長及び最小回転半径など）と、目標駐車スペース設定器１１からの目標駐車位置（リモート入庫モードの場合は駐車スペースの位置情報、リモート出庫モードの場合は出庫スペースの位置情報を言う。以下同じ。）と、車両位置検出器１２からの自車両の現在位置情報と、物体検出器１３からの物体（障害物）の位置情報とを入力し、自車両の現在位置から目標駐車位置に向かう駐車経路（リモート入庫モードの場合は入庫経路、リモート出庫モードの場合は出庫経路をいう。以下同じ。）であって、物体に衝突又は干渉しない駐車経路を演算する。図１０Ａ〜１０Ｄは、リモート入庫モードの一例を示す平面図である。図１０Ａに示す自車両Ｖの現在位置において、ドライバが入力スイッチを操作してリモート入庫モードを選択すると、目標駐車スペース設定器１１は３つの駐車可能な駐車スペースを探索してこれらを含む画像をディスプレイに表示し、これに対してドライバが駐車スペースＰＳ１を選択したとする。この場合、駐車経路生成部１５は、図１０Ａに示す現在位置から、図１０Ｂ、図１０Ｃ及び図１０Ｄに示す駐車スペースＰＳ１に至る入庫経路Ｒ１，Ｒ２を演算する。
【００２０】  なお、図、１０Ｄに示す駐車位置において、点線で示すように自車両Ｖの両隣に他車両Ｖ３，Ｖ４が駐車中であってドライバがドアを開いて乗車し難い場合には、リモート出庫モードにて自車両Ｖを出庫させることもできる。すなわち、図１０Ｄに示す状態で、ドライバが遠隔操作器２３を用いて自車両の内燃機関又は駆動用モータを起動し、遠隔操作器２３の入力スイッチを操作してリモート出庫モードを選択したとすると、目標駐車スペース設定器１１は、たとえば図１０Ｂに示す出庫可能な出庫スペースＳ１を探索して遠隔操作器２３のディスプレイに表示する。これに対してドライバが当該出庫スペースＳ１を選択したとすると、駐車経路生成部１５は、図１０Ｄに示す現在位置から、図１０Ｃ及び図１０Ｂに示す出庫スペースに至る出庫経路を演算する。以上のように、駐車経路生成部１５は、リモート入庫モードの場合は、現在位置から駐車スペースに至る入庫経路を演算し、リモート出庫モードの場合は、現在位置から出庫スペースに至る出庫経路を演算する。そして、これらの入庫経路又は出庫経路を経路追従制御部１７及び目標車速生成部１８に出力する。
【００２１】  物体減速演算部１６は、物体検出器１３からの障害物その他の物体の位置情報を入力し、物体との距離と、車速とに基づいて、物体と衝突するまでの時間（ＴＴＣ：Ｔｉｍｅ  ｔｏ  Ｃｏｌｌｉｓｉｏｎ）を演算し、自車両の減速開始タイミングを演算する。たとえば、図１０Ａ〜図１０Ｄに示すリモート入庫モードにおいて、障害物としての物体が駐車場の壁Ｗである場合には、図１０Ａ〜図１０Ｃに示すように壁Ｗとの距離が所定以上である場合は、車速を初期設定値とし、図１０Ｄに示すように自車両Ｖが壁Ｗに衝突するまでの時間ＴＴＣが所定値以下になるタイミングで、自車両Ｖの車速を減速する。また、図１０Ａ〜図１０Ｄに示す一連の自律駐車制御を実行中に、駐車経路の中に不意な障害物を検出した場合も同様に、自車両Ｖがその障害物に衝突するまでの時間ＴＴＣが所定値以下になるタイミングで、自車両Ｖの車速を減速又は停車させる。この減速開始タイミングは、目標車速生成部１８に出力する。
【００２２】  経路追従制御部１７は、駐車経路生成部１５からの入庫経路又は出庫経路と、車両位置検出器１２からの自車両の現在位置とに基づいて、所定時間間隔で自車両を入庫経路又は出庫経路に沿った経路に追従するための目標操舵角を演算する。図１０Ａ〜図１０Ｄの入庫経路Ｒ１，Ｒ２についていえば、図１０Ａに示す現在位置から図１０Ｂに示す切り返し位置まで直進する入庫経路Ｒ１の目標操舵角と、図１０Ｂに示す切り返し位置から図１０Ｃ及び図１０Ｄに示す駐車位置まで左旋回する入庫経路Ｒ２の目標操舵角とを、自車両Ｖの現在位置ごとに所定時間間隔で演算し、操舵角制御部１９に出力する。
【００２３】  目標車速生成部１８は、駐車経路生成部１５からの入庫経路又は出庫経路と、物体減速演算部１６からの減速開始タイミングとに基づいて、所定時間間隔で自車両Ｖを入庫経路又は出庫経路に沿った経路に追従する際の目標車速を演算する。図１０Ａ〜図１０Ｄの入庫経路についていえば、図１０Ａに示す現在位置から発進して図１０Ｂに示す切り返し位置で停止する際の目標車速と、図１０Ｂに示す切り返し位置から発進（後退）して図１０Ｃに示す駐車位置の途中まで左旋回する際の目標車速と、図１０Ｄに示す壁Ｗに接近する際の目標車速とを、自車両Ｖの現在位置ごとに所定時間間隔で演算し、車速制御部２０に出力する。また、図１０Ａ〜図１０Ｄに示す一連の自律駐車制御を実行中に、駐車経路の中に不意な障害物を検出した場合は、物体減速演算部１６から減速又は停車タイミングが出力されるので、これに応じた目標車速を車速制御部２０に出力する。
【００２４】  操舵角制御部１９は、経路追従制御部１７からの目標操舵角に基づいて、自車両Ｖの操舵系システムに設けられた操舵アクチュエータを動作する制御信号を生成する。また、車速制御部２０は、目標車速生成部１８からの目標車速に基づいて、自車両Ｖの駆動系システムに設けられたアクセルアクチュエータを動作する制御信号を生成する。これら操舵角制御部１９と車速制御部２０とを同時に制御することで、自律駐車制御が実行される。
【００２５】  遠隔操作器２３は、目標駐車スペース設定器１１にて設定した自律駐車制御の実行を継続するか停止するかを、操作者Ｕが車外から指令する。そのため、経路追従制御部１７及び目標車速生成部１８（又はこれに代えて、操舵角制御部１９及び車速制御部２０でもよい）に実行継続指令信号又は実行停止信号を送信するための、短距離通信機能（図７に示すアンテナ２３１など）を備え、車両Ｖに設けられたアンテナ２７，２７との間で通信を行う。また、リモート出庫モードにおいては、自車両Ｖの駆動系システム（内燃機関又は駆動用モータ）の始動／停止スイッチと、リモート出庫モードを入力する入力スイッチと、出庫スペースを含む画像を表示するディスプレイとが必要とされるため、これらの機能を備えた携帯型コンピュータで構成することが好ましい。なお、遠隔操作器２３から経路追従制御部１７及び目標車速生成部１８（又はこれに代えて、操舵角制御部１９及び車速制御部２０でもよい）に実行継続指令信号又は実行停止信号を送信する手段は、電気通信回線網を用いてもよい。
【００２６】  本実施形態のリモート駐車システム１では、遠隔操作器２３と自車両Ｖの車載装置（ペアリング処理部２５）とのペアリング処理が実行され、自車両Ｖが遠隔操作器２３を認証した場合に限り、実行継続指令信号又は実行停止信号を受け付ける。特に本実施形態のリモート駐車システム１では、自車両は、認証コード記憶部２４、認証コード設定部２１と、認証コード表示器２２と、ペアリング処理部２５とを備え、遠隔操作器２３は、読取器２３２を備える。そして、遠隔操作器２３による遠隔操作の開始入力がされたときは、認証コード記憶部２４に記憶された所定の認証コードＡＣを、自車両Ｖの内部若しくは外部に視認可能に表示し、遠隔操作器２３の読取器２３２により、当該表示された認証コードＡＣを取得し、これを遠隔操作器２３から自車両Ｖのペアリング処理部２５に送信したのち、遠隔操作器２３により取得した認証コードＡＣ１と、自車両Ｖに記憶された認証コードＡＣとが一致するか否かを判断し、これらが一致した場合に、自車両Ｖと遠隔操作器２３とのペアリング処理を完了したものとする。認証コード記憶部２４に記憶された所定の認証コード及び表示された認証コードをＡＣ、遠隔操作器２３により取得した認証コードをＡＣ１と称して区別する。
【００２７】  認証コード記憶部２４は、自車両Ｖに設定された所定（固有）の認証コードＡＣを記憶する。認証コードＡＣとしては、特に限定されないが、一次元コード、二次元コード、文字、数字、記号、図形、模様、ライトの点滅パターン又はこれらの組み合わせの少なくともいずれかを含む。また、複数の認証コードＡＣを記憶しておき、ペアリング処理を実行する際に、表示する認証コードＡＣを規則的又は不規則に選択（変更）してもよい。この認証コード記憶部２４に記憶された認証コードＡＣは、後述する認証コード表示器２２により自車両Ｖの内部又は外部の所定位置に表示され、この表示された認証コードＡＣを、遠隔操作器２３に設けられたカメラなどの読取器２３２を用いて読み取るが、認証コードＡＣとして、文字、数字又は記号など、テキストデータとしての入力が可能なものが設定された場合は、遠隔操作器２３の読取器２３２に代えて、遠隔操作器２３に設けられた入力部により、これら文字、数字又は記号などを遠隔操作器２３に入力してもよい。認証コード記憶部２４に記憶された所定の認証コードは、認証コード設定部２１及びペアリング処理部２５により読み出される。
【００２８】  認証コード表示器２２は、認証コード記憶部２４に記憶された認証コードＡＣを、自車両Ｖの内部若しくは外部に視認可能に表示するものである。自車両Ｖの内部に表示するものとして、車載のディスプレイ又は室内灯その他の機器を含み、自車両Ｖの外部に表示するものとして、ヘッドライト、スモールライト、ウィンカー、フォグライト、ブレーキライト又はバックライトその他の機器、及び自車両Ｖの周囲の路面を含む。
【００２９】  図５は、認証コード表示器２２により、認証コードＡＣを、自車両Ｖの室内に表示する形態例を示す図であり、センターコンソールに設けられたナビゲーション装置のディスプレイ４１、室内ミラーに設けられたディスプレイ４２（後方視界をカメラで撮像して表示する室内ミラーなど）、ヘッドアップディスプレイ４３などに認証コードＡＣを表示する例を示す。この場合、ナビゲーション装置のディスプレイ４１、室内ミラーに設けられたディスプレイ４２、ヘッドアップディスプレイ４３が、それぞれ認証コード表示器２２となる。
【００３０】  図６は、認証コード表示器２２により、認証コードＡＣを、自車両Ｖの室外に表示する形態例を示す図であり、自車両Ｖの外部に設けられた機器を用いるものとして、ウィンカー４４の点滅パターンを認証コードＡＣとして表示する例を示す。自車両Ｖの外部に設けられた機器としては、ウィンカー４４の他、ヘッドライト、スモールライト、フォグライト、ブレーキライト又はバックライトなどを用いてもよい。さらに、図６に示すように、自車両Ｖのドアの施解錠装置を遠隔操作する電子キー４５や、エンジンの始動を遠隔操作するエンジンスタータなどの携帯型電子機器（不図示）にＬＥＤライト４５１などを設け、当該ＬＥＤライト４５１の点滅パターンを認証コードＡＣとして表示するものであってもよい。この種の電子キー４５やエンジンスタータは、予め特定の自車両Ｖとの短距離通信が確立された固有のものである。これらのライト類を用いる場合は、点滅間隔を所定の間隔とした認証コードＡＣとすることができる。また、自車両Ｖの外部に表示する例として、自車両Ｖの外部に設けられた機器を用いるほか、自車両Ｖのフードアウタパネル、ドアアルタパネル、トランクリッドアウタパネルなどの外板に、認証コード表示器２２を用いて表示してもよい。この場合の認証コード表示器２２は、後述する路面に表示する場合のものを用いることができる。
【００３１】  図４は、認証コード表示器２２により、認証コードＡＣを、自車両Ｖの周囲の路面に表示する形態例を示す図であり、図３は、この場合の認証コード表示器２２の装着例を示す平面図である。この形態例の認証コード表示器２２は、たとえばＬＥＤ照明装置やレーザ光照射装置などにより構成され、可視光を自車両Ｖの周囲の路面に向けて照射する。ＬＥＤ照明装置やレーザ光照射装置などにより構成される認証コード表示器２２の装着位置は、たとえば図３に示すように、フロントバンパの中央２２ａ及び両サイド２２ｂ，２２ｃ、リヤバンパの中央２２ｄ及び両サイド２２ｅ，２２ｆ、左右のセンターピラー下部のシルアウタ２２ｇ，２２ｈの８箇所に認証コード表示器２２ａ〜２２ｈを装着した例を示す。なお、図３に示す認証コード表示器２２の装着位置及び数量は一例であって、同図に示す位置以外に装着してもよく、装着箇所についても、８箇所未満又は９箇所以上であってもよい。図４は、このように８箇所に設けられた認証コード表示器２２の一つの認証コード表示器２２により、路面に照射される認証コードＡＣの例を示し、遠隔操作器２３を持って降車した操作者Ｕは、遠隔操作器２３に設けられた読取器２３２を用いて、路面に表示された認証コードＡＣを撮影して遠隔操作器２３に読み込み、ディスプレイに読み込んだ認証コードＡＣ１を表示した状態を示したものである。
【００３２】  図１に戻り、認証コード設定部２１は、認証コード表示器２２により表示する認証コードＡＣと、その表示位置を設定する。なお、認証コード表示器２２として、図５に示すナビゲーション装置のディスプレイ４１、室内ミラーに設けられたディスプレイ４２、ヘッドアップディスプレイ４３その他、室内に設けられた車載機器や、図６に示すウィンカー４４、ヘッドライト、スモールライト、フォグライト、ブレーキライト又はバックライトその他、室外に設けられた機器を用いる場合には、認証コードＡＣの表示位置が一義的に定められる。これに対して、図４に示すように自車両Ｖに設けられた複数の認証コード表示器２２ａ〜２２ｈを用いて、認証コードＡＣを自車両Ｖの周囲の路面に表示する場合は、遠隔操作器２３を持った操作者Ｕが降車した状態であるため、操作者Ｕが見つけやすい位置に表示することが望ましい。
【００３３】  そのため、認証コード設定部２１は、遠隔操作器２３の位置検出器１４により検出された遠隔操作器２３の位置の近傍の路面、換言すれば自車両Ｖから遠隔操作器２３に向かう路面に認証コードＡＣを表示するように、認証コード表示器２２を選択する。たとえば、図４に示す場合においては、操作者Ｕが運転席から降車した状態であり、遠隔操作器２３の位置が自車両Ｖの右側方であるため、認証コード設定部２１は、８個の認証コード表示器２２ａ〜２２ｈのうち、自車両Ｖの右側面に装着された認証コード表示器２２ｂ，２２ｇ，２２ｅのいずれかを用いるように設定し、これを認証コード表示器２２ａ〜２２ｈに出力する。なお、遠隔操作器２３の位置検出器１４により遠隔操作器２３の位置を検出することに代えて、右ハンドル車において運転席側のドアが開いたことを検出したら、自車両Ｖの右側面に装着された認証コード表示器２２ｂ，２２ｇ，２２ｅのいずれかを用いるように設定してもよい。
【００３４】  図２Ａは、本実施形態のリモート駐車システム１において実行されるペアリング処理に係る構成の一例を示すブロック図である。同図に示す例においては、遠隔操作器２３は、認証コード表示器２２により表示された認証コードＡＣを取得するカメラなどの読取器２３２と、読み取った認証コードＡＣ１を表示するディスプレイとを備える。また、自車両Ｖは、遠隔操作器２３のディスプレイに表示された読み取った認証コードＡＣ１を取得するカメラなどの読取器２６を備える。この読取器２６は、自車両Ｖの周囲を撮影するために設けられた他用途のカメラを共用してもよい。
【００３５】  本例では、図２Ａに示すように、認証コード記憶部２４に記憶された所定の認証コードを、認証コード設定部２１により設定された路面の所定位置に、認証コード表示器２２を用いて表示する。遠隔操作器２３を持った操作者Ｕは、この表示を見つけ、表示された認証コードＡＣを遠隔操作器２３の読取器２３２を用いて取得し、ディスプレイに読み取った認証コードＡＣ１を表示する。そして、操作者Ｕは、遠隔操作器２３のディスプレイを自車両Ｖの読取器２６に対面させる。自車両Ｖの読取器２６は、認証コード表示器２２により認証コードＡＣが表示されている間はＯＮとされ、これにより遠隔操作器２３のディスプレイに表示された認証コードＡＣ１が読取器２６により取得され、ペアリング処理部２５に出力される。ペアリング処理部２５は、読取器２６から出力された認証コードＡＣ１と、認証コード記憶部２４に記憶された認証コードＡＣとを画像処理などを用いて比較することで一致性を判断し、一致性が許容範囲にある場合はペアリングを完了する。
【００３６】  図２Ｂは、本実施形態のリモート駐車システム１において実行されるペアリング処理に係る構成の他の例を示すブロック図である。同図に示す例においては、遠隔操作器２３は、認証コード表示器２２により表示された認証コードＡＣを取得するカメラなどの読取器２３２と、読み取った認証コードＡＣ１を自車両Ｖに送信する短距離通信機能とを備える。また、自車両Ｖは、遠隔操作器２３から送信される認証コードＡＣ１を受信する短距離通信機能を備える。これらの短距離通信機能（アンテナなどの通信機器と、通信処理を実行するソフトウェアプログラムを含む）は、図７に示すアンテナ２７，２３１を共用してもよい。
【００３７】  本例では、図２Ｂに示すように、認証コード記憶部２４に記憶された所定の認証コードを、認証コード設定部２１により設定された路面の所定位置に、認証コード表示器２２を用いて表示する。遠隔操作器２３を持った操作者Ｕは、この表示を見つけ、表示された認証コードＡＣを遠隔操作器２３の読取器２３２を用いて取得する。そして、操作者Ｕは、遠隔操作器２３の短距離通信機能を用いて自車両Ｖに認証コードＡＣ１を送信する。自車両Ｖは、短距離通信機能を用いて認証コードＡＣ１を受信し、これをペアリング処理部２５に出力する。ペアリング処理部２５は、受信した認証コードＡＣ１と、認証コード記憶部２４に記憶された認証コードＡＣとを画像処理などを用いて比較することで一致性を判断し、一致性が許容範囲にある場合はペアリングを完了する。
【００３８】  次に図８、図９Ａ及び図９Ｂを参照して、本実施形態のリモート駐車システム１の制御フローを説明する。図８は、本実施形態のリモート駐車システム１で実行される制御手順を示すフローチャートである。
【００３９】  ここでは、図１０Ａ〜図１０Ｄに示す後退駐車を自律駐車制御（入庫）により実行するシーンであって、ペアリング処理の認証コードＡＣを、主として、図４に示すように認証コードを自車両Ｖの周辺の路面に表示する形態例を説明する。まず、自車両Ｖが駐車スペースの近傍に到着したら、ステップＳ１にて、ドライバなどの操作者Ｕは、車載された目標駐車スペース設定器１１のリモート駐車の開始スイッチをＯＮしてリモート入庫モードを選択する。目標駐車スペース設定器１１は、ステップＳ２にて、車載された複数のカメラなどを用いて自車両Ｖが駐車可能な駐車スペースを探索し、ステップＳ３にて駐車可能な駐車スペースがあるか否かを判定する。駐車可能な駐車スペースがある場合はステップＳ４へ進み、駐車可能な駐車スペースがない場合はステップＳ１へ戻る。ステップＳ２により駐車可能な駐車スペースが検出されない場合は、「駐車スペースがありません」といった言語表示または音声にて操作者に報知し、本処理を終了してもよい。
【００４０】  目標駐車スペース設定器１１は、ステップＳ４にて、駐車可能な駐車スペースを車載のディスプレイに表示し、操作者Ｕに希望する駐車スペースの選択を促し、操作者Ｕが特定の駐車スペースを選択したら、その目標駐車位置情報を駐車経路生成部１５へ出力する。駐車経路生成部１５は、ステップＳ５において、自車両Ｖの現在位置と目標駐車位置とから、図１０Ｂ〜図１０Ｄに示す駐車経路Ｒ１，Ｒ２を生成するとともに、物体減速演算部１６は、物体検出器１３により検出された物体情報に基づいて、自律駐車制御時の減速開始タイミングを演算する。駐車経路生成部１５により生成された駐車経路は経路追従制御部１７へ出力され、物体減速演算部１６により演算された減速開始タイミングは、目標車速生成部１８へ出力される。
【００４１】  以上により自律駐車制御がスタンバイ状態となるので、操作者Ｕに自律駐車制御の開始の承諾を促し、操作者Ｕが開始を承諾することで自律駐車制御が開始される。図１０Ａに示す後退駐車においては、図１０Ａに示す現在位置から一旦前進し、図１０Ｂに示す切り返し位置に到着したら、ステップＳ６にて操作者Ｕの降車を促したのち、図１０Ｃに示すように左に操舵しながら後退し、図１０Ｄに示す駐車スペースＰＳ１まで直進する。
【００４２】  このような自律駐車制御を実行中に、ステップＳ６にて降車が促され、操作者Ｕが遠隔操作器２３を持って降車すると、ステップＳ７にて、操作者Ｕは遠隔操作器２３を起動する。これにより遠隔操作が開始されるが、遠隔操作器２３による遠隔操作の開始入力は、遠隔操作器２３にインストールされた操作用ソフトウェアプログラムの起動のほか、ドアの開錠操作、ドアの施錠及び開錠操作、これらと操作用ソフトウェアプログラムの起動などを例示することができる。なお、ステップＳ６からステップＳ９までの間は、自車両Ｖは停車状態とされる。また、図５に示すように、ナビゲーション装置のディスプレイ４１、室内ミラーに設けられたディスプレイ４２、ヘッドアップディスプレイ４３その他、室内に設けられた車載機器に認証コードＡＣを表示する形態例では、ステップＳ６において操作者Ｕに降車を促す前に、認証コードＡＣを表示する。
【００４３】  ステップＳ８においては、遠隔操作器２３の位置検出器１４により、遠隔操作器２３の位置が検出され、この位置情報が認証コード設定部２１に出力される。そして、ステップＳ９において、遠隔操作器２３と自車両Ｖとのペアリング処理が行われる。図９Ａは、図８のステップＳ９のサブルーチンの一例を示すフローチャートである。
【００４４】  図９Ａに示すペアリング処理の例においては、ステップＳ９１にて、認証コード設定部２１は、遠隔操作器２３の位置検出器１４により検出された遠隔操作器２３の位置に基づいて、認証コードＡＣを表示する路面の位置を決定する。操作者Ｕが認証コードＡＣを見つけ易いように、自車両Ｖから操作者Ｕの立ち位置に向かう路面の位置を認証コードＡＣの表示位置とする。ステップＳ９２では、認証コード設定部２１からの表示位置情報を入力した認証コード表示器２２により、決定された路面の位置に認証コードＡＣを表示する。図４に示す例でいえば、操作者Ｕが運転席から降車した状態であり、遠隔操作器２３の検出位置が自車両Ｖの右側方であるため、認証コード設定部２１は、８個の認証コード表示器２２ａ〜２２ｈのうち、自車両Ｖの右側面に装着された認証コード表示器２２ｂ，２２ｇ，２２ｅのいずれかを表示する指令を出力し、認証コード表示器２２ｂ，２２ｇ，２２ｅのいずれかを用いて認証コードＡＣを路面に表示する。
【００４５】  ステップＳ９３では、遠隔操作器２３を持った操作者Ｕは、路面に表示された認証コードＡＣを見つけ、表示された認証コードＡＣを遠隔操作器２３の読取器２３２を用いて取得し、ディスプレイに読み取った認証コードＡＣ１を表示する。そして、ステップＳ９４にて、操作者Ｕは、遠隔操作器２３のディスプレイを自車両Ｖの読取器２６に対面させる。自車両Ｖの読取器２６は、認証コード表示器２２により認証コードＡＣが表示されている間はＯＮとされ、これにより遠隔操作器２３のディスプレイに表示された認証コードＡＣ１が読取器２６により取得され、ペアリング処理部２５に出力される。なお、図２Ｂに示す形態例では、操作者Ｕは、読み取った認証コードＡＣ１を、遠隔操作器２３の短距離通信機能を用いて自車両Ｖに認証コードＡＣ１を送信する。
【００４６】  ステップＳ９５において、ペアリング処理部２５は、読取器２６から出力された認証コードＡＣ１と、認証コード記憶部２４に記憶された認証コードＡＣとを画像処理などを用いて比較することで一致性を判断し、一致性が許容範囲にある場合は、ステップＳ９６へ進み、ペアリングを完了する。一方、ステップＳ９５において、読取器２６から出力された認証コードＡＣ１と、認証コード記憶部２４に記憶された認証コードＡＣとの一致性が許容範囲にない場合は、ステップＳ９７へ進み、ペアリング不能と判断し、図８に示すリモート駐車制御を終了する。なお、認証コード表示器２２による認証コードＡＣの表示期間は、ペアリング処理が完了した時、認証コードＡＣを表示してから所定時間が経過した時、又は表示終了の指令が入力された時の少なくともいずれかの時に終了する。
【００４７】  図９Ｂは、図８のステップＳ９のサブルーチンの他の例を示すフローチャートである。このペアリング処理の例は、遠隔操作器２３で読み取った認証コードＡＣ１と、認証コード記憶部２４に記憶された認証コードＡＣとの一致性を判断するにあたり、図２Ａ及び図２Ｂに示す遠隔操作器２３の認証コード記憶部２３３に、自車両Ｖの認証コード記憶部２４に記憶された認証コードＡＣと同じ認証コードＡＣを予め登録しておき、遠隔操作器２３で読み取った認証コードＡＣ１と、認証コード記憶部２３３に記憶された認証コードＡＣとの一致性を判断するものである。
【００４８】  すなわち、図９ＢのステップＳ９１にて、認証コード設定部２１は、遠隔操作器２３の位置検出器１４により検出された遠隔操作器２３の位置に基づいて、認証コードＡＣを表示する路面の位置を決定する。操作者Ｕが認証コードＡＣを見つけ易いように、自車両Ｖから操作者Ｕの立ち位置に向かう路面の位置を認証コードＡＣの表示位置とする。ステップＳ９２では、認証コード設定部２１からの表示位置情報を入力した認証コード表示器２２により、決定された路面の位置に認証コードＡＣを表示する。図４に示す例でいえば、操作者Ｕが運転席から降車した状態であり、遠隔操作器２３の検出位置が自車両Ｖの右側方であるため、認証コード設定部２１は、８個の認証コード表示器２２ａ〜２２ｈのうち、自車両Ｖの右側面に装着された認証コード表示器２２ｂ，２２ｇ，２２ｅのいずれかを表示する指令を出力し、認証コード表示器２２ｂ，２２ｇ，２２ｅのいずれかを用いて認証コードＡＣを路面に表示する。ここまでの処理は、図９Ａに示す例と同じである。
【００４９】  ステップＳ９３では、遠隔操作器２３を持った操作者Ｕは、路面に表示された認証コードＡＣを見つけ、表示された認証コードＡＣを遠隔操作器２３の読取器２３２を用いて取得する。そして、ステップＳ９４にて、遠隔操作器２３は、認証コード記憶部２３３に登録しておいた認証コードＡＣを参照し、ステップＳ９５において、遠隔操作器２３は、読取器２３２から出力された認証コードＡＣ１と、認証コード記憶部２３３に登録された認証コードＡＣとを画像処理などを用いて比較することで一致性を判断する。そして、一致性が許容範囲にある場合は、ステップＳ９６へ進み、ペアリングを完了する。一方、ステップＳ９５において、読取器２３２から出力された認証コードＡＣ１と、認証コード記憶部２３３に登録された認証コードＡＣとの一致性が許容範囲にない場合は、ステップＳ９７へ進み、ペアリング不能と判断し、図８に示すリモート駐車制御を終了する。なお、認証コード表示器２２による認証コードＡＣの表示期間は、ペアリング処理が完了した時、認証コードＡＣを表示してから所定時間が経過した時、又は表示終了の指令が入力された時の少なくともいずれかの時に終了する。
【００５０】  図８に戻り、ステップＳ９のペアリング処理により、自車両Ｖが遠隔操作器２３を認証して指令の受け付けが可能になると、ステップＳ１０にてリモート操作が開始され、ステップＳ１１〜Ｓ１３において、遠隔操作器２３の実行ボタンを押し続けることで（ステップＳ１２の「Ｙ」）、リモート駐車制御の実行が継続する。一方、操作者Ｕが遠隔操作器２３の停止ボタンを押すと（又は実行ボタンを離すと）、リモート駐車制御の停止指令が、経路追従制御部１７及び目標車速生成部１８（又はこれに代えて、操舵角制御部１９及び車速制御部２０でもよい）に送信され（ステップＳ１２の「Ｎ」）、ステップＳ１３にてリモート駐車制御が一時停止する。なお、リモート駐車制御が一時停止した状態で安全が確認された場合など、再び操作者Ｕが遠隔操作器２３の実行ボタンを押し続けることで、リモート駐車制御の実行が再開する（ステップＳ１３→Ｓ１２）。
【００５１】  操作者Ｕが車外に降車して遠隔操作器２３の実行ボタンを押し続けると、経路追従制御部１７は、駐車経路に沿った目標操舵角を操舵角制御部１９へ逐次出力するとともに、目標車速生成部１８は、駐車経路に沿った目標車速を車速制御部２０へ逐次出力する。これにより、自車両Ｖは目標車速で駐車経路に沿って自律駐車制御を実行する。このとき、物体検出器１３は、自車両Ｖの周囲に存在する障害物などの物体の有無を検出し、駐車経路に障害物を検出した場合は、物体減速演算部１６において減速開始タイミングが演算されて自車両Ｖが減速又は停車する。なお、ステップＳ１１から後述するステップＳ１４までの処理は、ステップＳ１４にて自車両Ｖが目標とする駐車スペースに到着するまでの間、所定時間間隔で実行される。
【００５２】  ステップＳ１４にて、自車両Ｖが目標駐車スペースに到着したか否かを判断し、到着していない場合はステップＳ１１へ戻り、自車両Ｖが目標駐車スペースに到着した場合は、以上の自律駐車制御を終了する。
【００５３】  以上のとおり、本実施形態のリモート駐車システム１によれば、遠隔操作器２３による遠隔操作の開始入力がされたときは、自車両Ｖの認証コード記憶部２４に記憶された所定の認証コードＡＣを、自車両Ｖの内部若しくは外部に視認可能に表示し、遠隔操作器２３により、表示された認証コードＡＣを取得し、ペアリング処理部２５にて、遠隔操作器２３により取得した認証コードＡＣ１と、自車両Ｖの認証コード記憶部２４に記憶された認証コードＡＣとが一致するか否かを判断し、一致した場合に、自車両Ｖと遠隔操作器２３とのペアリング処理を完了する。したがって、任意の場所に停車する自車両を車外から遠隔操作により自律走行制御する場合であっても、簡便な方法でペアリング処理が実行できる。
【００５４】  また、本実施形態のリモート駐車システム１によれば、自車両Ｖの認証コード記憶部２４に記憶された所定の認証コードＡＣを、自車両Ｖの室内に設けられた機器、自車両Ｖの外部に設けられた機器、自車両Ｖの外板、又は自車両Ｖの周辺の路面の少なくともいずれかに表示するので、遠隔操作器２３を持った操作者Ｕは、認証コードＡＣを容易に発見することができる。
【００５５】  また、本実施形態のリモート駐車システム１によれば、自車両Ｖの室内に設けられた機器は、車載のディスプレイ４１，４２，４３、又は室内灯の少なくともいずれかを含み、自車両Ｖの外部に設けられた機器は、ヘッドライト、スモールライト、ウィンカー４４、フォグライト、ブレーキライト又はバックライトの少なくともいずれかを含むので、別途の機器を設ける必要がない。
【００５６】  また、本実施形態のリモート駐車システム１によれば、遠隔操作器２３の位置を検出し、自車両Ｖの認証コード記憶部２４に記憶された所定の認証コードを、自車両Ｖから遠隔操作器２３に向かう自車両Ｖの周辺の路面に表示するので、遠隔操作器２３を持った操作者Ｕは、より一層容易に認証コードＡＣを発見することができる。
【００５７】  また、本実施形態のリモート駐車システム１によれば、遠隔操作器２３に設けられた読取器２３２により所定の認証コードＡＣを読み取り、又は遠隔操作器２３に設けられた入力部により所定の認証コードＡＣを入力するので、簡単な操作でペアリング処理を実行することができる。
【００５８】  また、本実施形態のリモート駐車システム１によれば、遠隔操作器２３に設けられたディスプレイに、当該遠隔操作器２３により取得した認証コードＡＣ１を表示し、自車両Ｖに設けられた読取器２６により、遠隔操作器２３により取得した認証コードＡＣ１を読み取り、自車両Ｖのペアリング処理部２５は、読取器２６により読み取った認証コードＡｃ１と、自車両Ｖの認証コード記憶部２４に記憶された認証コードＡＣとが一致するか否かを判断するので、通信機能を用いることなくペアリング処理を実行することができる。
【００５９】  また、本実施形態のリモート駐車システム１によれば、遠隔操作器２３は、取得した認証コードＡＣ１を短距離通信により自車両Ｖに送信し、自車両Ｖのペアリング処理部２５は、送信された認証コードＡＣ１と、車両Ｖの認証コード記憶部２４に記憶された所定の認証コードＡＣとが一致するか否かを判断するので、インターネットなどの大規模電気通信回線網を用いることなくペアリング処理を実行することができる。
【００６０】  また、本実施形態のリモート駐車システム１によれば、遠隔操作器２３の認証コード記憶部２３３には、自車両Ｖの認証コード記憶部２４に記憶された所定の認証コードＡＣが予め登録され、遠隔操作器２３は、自車両Ｖにより表示された所定の認証コードＡＣを取得すると、当該取得した認証コードＡＣ１と、予め登録された所定の認証コードＡＣとが一致するか否かを判断するので、通信機能を用いることなくペアリング処理を実行することができる。
【００６１】  また、本実施形態のリモート駐車システム１によれば、所定の認証コードＡＣの表示は、ペアリング処理が完了した時、表示してから所定時間が経過した時、又は表示終了の指令が入力された時の少なくともいずれかの時に終了するので、第三者に認証コードを知得されることが抑制される。
【００６２】  また、本実施形態のリモート駐車システム１によれば、所定の認証コードは、一次元コード、二次元コード、文字、数字、記号、図形、模様、ライトの点滅パターンの少なくともいずれかを含むので、自由度の高いペアリング処理を実行することができる。
【００６３】  また、本実施形態のリモート駐車システム１によれば、複数の所定の認証コードが記憶され、ペアリング処理を実行する際に、規則的又は不規則に選択されるので、より一層正確なペアリング処理を実行することができる。
【００６４】  また、本実施形態のリモート駐車システム１によれば、自車両Ｖの外部にある遠隔操作器２３からの実行指令又は停止指令に基づいて、自律走行制御機能を備えた車両を自律走行制御により所定スペースに入庫させ、又は自律走行制御により所定スペースから出庫させるので、狭小な駐車スペースにでも自車両Ｖを正確に自律駐車させることができる。
【００６５】  上記操舵角制御部１９及び車速制御部２０は本発明に係る走行制御器に相当し、上記目標駐車スペース設定器１１、駐車経路生成部１５、経路追従制御部１７及び目標車速生成部１８は本発明に係る制御器に相当し、上記認証コード記憶部２４は本発明に係る認証コード記憶器に相当し、上記ペアリング処理部２５は本発明に係るペアリング処理器に相当する。
【符号の説明】
【００６６】１…リモート駐車システム
１１…目標駐車スペース設定器
１２…車両位置検出器
１３…物体検出器
１４…遠隔操作器の位置検出器
１５…駐車経路生成部
１６…物体減速演算部
１７…経路追従制御部
１８…目標車速生成部
１９…操舵角制御部
２０…車速制御部
２１…認証コード設定部
２２…認証コード表示器
２３…遠隔操作器
２３１…アンテナ
２３２…読取器
２３３…認証コード記憶部
２４…認証コード記憶部
２５…ペアリング処理部
２６…読取器
２７…アンテナ
４１…ナビゲーション装置のディスプレイ
４２…室内ミラーのディスプレイ
４３…ヘッドアップディスプレイ
４４…ウィンカー
４５…電子キー
４５１…ＬＥＤライト
Ｖ…自車両
Ｖ１〜Ｖ４…他車両
ＡＣ…認証コード
ＡＣ１…読み取った認証コード
ＰＳ１，ＰＳ２，ＰＳ３…駐車スペース
Ｓ１…出庫スペース
Ｕ…操作者
Ｗ…障害物（物体）
Ｒ１，Ｒ２…駐車経路
【図１】
2020121009.tif 000003
【図２Ａ】
2020121009.tif 000004
【図２Ｂ】
2020121009.tif 000005
【図３】
2020121009.tif 000006
【図４】
2020121009.tif 000007
【図５】
2020121009.tif 000008
【図６】
2020121009.tif 000009
【図７】
2020121009.tif 000010
【図８】
2020121009.tif 000011
【図９Ａ】
2020121009.tif 000012
【図９Ｂ】
2020121009.tif 000013
【図１０Ａ】
2020121009.tif 000014
【図１０Ｂ】
2020121009.tif 000015
【図１０Ｃ】
2020121009.tif 000016
【図１０Ｄ】
2020121009.tif 000017
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
車両の外部にある遠隔操作器からの遠隔操作指令に基づいて、自律走行制御機能を備えた車両を自律走行制御させる場合において、前記遠隔操作器による遠隔操作の開始入力がされたときは、
前記車両に記憶された所定の認証コードを、前記車両の内部若しくは外部に視認可能に表示し、
前記遠隔操作器を用いて、前記車両の内部若しくは外部に視認可能に表示された認証コードを取得し、
前記遠隔操作器を用いて取得した認証コードと、前記車両に記憶された前記所定の認証コードとが一致するか否かを判断し、
一致した場合に、前記車両と前記遠隔操作器とのペアリング処理を完了する車両走行制御方法。
【請求項２】
前記車両に記憶された前記所定の認証コードを、
前記車両の室内に設けられた機器、前記車両の外部に設けられた機器、前記車両の外板、前記車両に対して固有に設定された携帯型機器、又は前記車両の周辺の路面の少なくともいずれかに表示する請求項１に記載の車両走行制御方法。
【請求項３】
前記車両の室内に設けられた機器は、車載ディスプレイ又は室内灯の少なくともいずれかを含み、
前記車両の外部に設けられた機器は、ヘッドライト、スモールライト、ウィンカー、フォグライト、ブレーキライト又はバックライトの少なくともいずれかを含み、
前記前記車両に対して固有に設定された携帯型機器は、前記車両のドアの施解錠を遠隔操作する、ライトを有する電子キー又は前記車両のエンジンの始動を遠隔操作する、ライトを有するエンジンスタータの少なくともいずれかを含む請求項２に記載の車両走行制御方法。
【請求項４】
前記遠隔操作器の位置を検出し、
前記車両に記憶された前記所定の認証コードを、前記車両から前記遠隔操作器に向かう前記車両の周辺の路面に表示する請求項２に記載の車両走行制御方法。
【請求項５】
前記遠隔操作器に設けられた読取器により前記所定の認証コードを読み取り、又は前記遠隔操作器に設けられた入力部により前記所定の認証コードを入力する請求項１〜４のいずれか一項に記載の車両走行制御方法。
【請求項６】
前記遠隔操作器に設けられたディスプレイに、当該遠隔操作器を用いて取得した認証コードを表示し、
前記車両に設けられた読取器により、前記遠隔操作器を用いて取得した認証コードを読み取り、
前記車両は、前記読取器により読み取った認証コードと、前記車両に記憶された前記所定の認証コードとが一致するか否かを判断する請求項１〜５のいずれか一項に記載の車両走行制御方法。
【請求項７】
前記遠隔操作器は、取得した認証コードを短距離通信により前記車両に送信し、
前記車両は、送信された認証コードと、前記車両に記憶された前記所定の認証コードとが一致するか否かを判断する請求項１〜５のいずれか一項に記載の車両走行制御方法。
【請求項８】
前記遠隔操作器には、前記車両に記憶された前記所定の認証コードが予め登録され、
前記遠隔操作器は、前記車両により表示された前記所定の認証コードを取得すると、当該取得した認証コードと、前記予め登録された前記所定の認証コードとが一致するか否かを判断する請求項１〜５のいずれか一項に記載の車両走行制御方法。
【請求項９】
前記所定の認証コードの表示は、前記ペアリング処理が完了した時、表示してから所定時間が経過した時、又は表示終了の指令が入力された時の少なくともいずれかの時に終了する請求項１〜８のいずれか一項に記載の車両走行制御方法。
【請求項１０】
前記所定の認証コードは、一次元コード、二次元コード、文字、数字、記号、図形、模様、ライトの点滅パターンの少なくともいずれかを含む請求項１〜９のいずれか一項に記載の車両走行制御方法。
【請求項１１】
複数の所定の認証コードが記憶され、ペアリング処理を実行する際に、規則的又は不規則に選択される請求項１〜１０のいずれか一項に記載の車両走行制御方法。
【請求項１２】
車両の外部にある遠隔操作器からの実行指令又は停止指令に基づいて、自律走行制御機能を備えた車両を自律走行制御により所定スペースに入庫させ、又は自律走行制御により所定スペースから出庫させる請求項１〜１１のいずれか一項に記載の車両走行制御方法。
【請求項１３】
自律走行制御機能を備えた車両を自律走行制御する走行制御器と、
所定の目標位置の経路を演算し、前記走行制御器に走行指令を出力する制御器と、
前記車両の外部から前記制御器の実行又は停止を指令する遠隔操作器と、
所定の認証コードを記憶する認証コード記憶器と、
記憶された認証コードを、前記車両の内部若しくは外部に視認可能に表示する認証コード表示器と、
前記認証コード表示器を用いて前記車両の内部若しくは外部に視認可能に表示された前記所定の認証コードを取得する取得器と、
前記取得器を用いて取得した認証コードと、前記認証コード記憶器に記憶された前記所定の認証コードとが一致するか否かを判断し、一致した場合に、前記車両と前記遠隔操作器とのペアリング処理を完了するペアリング処理器と、を備える車両走行制御装置。
【国際調査報告】
2020121009.tif 000018
2020121009.tif 000019